(57)【要約】      （修正有）【課題】無線インターネットによって、定時、または随時に更新される広告内容を取得し、これを定時、または随時に放送する広告表示装置を提供する。【解決手段】広告表示装置１０は、映像と音声を放送するマスメディア放送機能を有し、無線インターネット回線との接続を行うモデム１１と、広告内容を記憶する少なくとも一つの記憶メディアを備え、モデムが接続されるとともにモデムを介した少なくとも一つの無線インターネット回線との接続およびデータの送受信を制御する制御回路と、を有している。【選択図】図３
0003146920.tif 000002
【実用新案登録請求の範囲】
【請求項１】
映像と音声を放送するマスメディア放送機能を有する広告表示装置であって、
少なくとも一つの無線インターネット回線との接続を行うモデムと、
広告内容を記憶する少なくとも一つの記憶メディアを備え、前記モデムが接続されるとともに前記モデムを介した前記少なくとも一つの無線インターネット回線との接続およびデータの送受信を制御する制御回路と、を有し、
前記制御回路は、管理者コンピュータから前記少なくとも一つの無線インターネット回線に提供された更新して放送すべき広告内容を取得するとともに、前記記憶メディアに記憶された更新前の広告内容を前記更新して放送すべき広告内容に置き換えて放送内容を更新する、広告表示装置。
【請求項２】
前記モデムは、３Ｇ、または３．５ＧのＧＳＭ方式のモデムであって、ＳＩＭカードによって少なくとも一つの無線通信会社の無線インターネット回線と接続し、
前記制御回路は、前記ＧＳＭ方式のモデムを介した前記少なくとも一つの無線インターネット回線との接続およびデータの送受信の制御に際し前記少なくとも一つの無線通信会社の前記無線インターネット回線に接続した後、前記少なくとも一つの無線通信会社のサーバを経由して前記少なくとも一つの無線インターネット回線に接続する、請求項１に記載の広告表示装置。
【請求項３】
前記管理者コンピュータは、任意のインターネット回線と接続可能なコンピュータであって、前記更新して放送すべき広告内容を少なくとも一つのデータパケットに変換するとともに前記少なくとも一つの無線インターネット回線に伝送し、前記制御回路は、データパケットに付されたコードを識別することによって、前記少なくとも一つの無線インターネット回線の中から該当するコードが付された前記少なくとも一つのデータパケットを探し出して読み取って解読し、前記少なくとも一つのデータパケット内に含まれた前記更新して放送すべき広告内容を取得する、請求項１または請求項２に記載の広告表示装置。
【考案の詳細な説明】
【技術分野】
【０００１】
本考案は、無線通信方式を使用して広告内容を更新して放送を行う広告表示装置に関する。
【背景技術】
【０００２】
映像や音声を放送する放送機は、映写機、音声放送機、現在流行しているマスメディア放送機や、ＣＤ放送機など多種多樣にわたっている。消費者は、映像および音声に関する放送品質や、操作用インターフェース技術の向上によって、より品質の向上した商品や放送内容を楽しむことが可能になっている。
【０００３】
消費者は、このような技術の発展に伴って、視聴覚上の利便性を享受している。より便利であり、かつ携帯可能な放送機、例えば、広告放送に利用できるマスメディア放送機が消費者から要求されている。
【考案の開示】
【考案が解決しようとする課題】
【０００４】
従来の広告表示装置は、記憶されている内容（音声や映像を含む）のみを放送することが可能になっている。そのため、放送内容を更新する場合には、記憶メディア（ｓｔｏｒａｇｅ  ｍｅｄｉｕｍ）、例えば、ＶＣＤやメモリカードによって記憶された放送内容を更新しなければならない。
【０００５】
一般に、広告表示装置は、一箇所に集中させずに設置していることが多い。放送内容の更新時には、あちこち駆け回って各所の放送内容を更新する作業を行う必要がある。そのため、多大な労力と時間を浪費するという問題があった。
【０００６】
本願の考案者は、上記の従来の広告表示装置の欠点を改善するため、無線通信方式を利用して放送内容を更新する広告表示装置の開発を試みた。
【０００７】
本考案の目的は、無線インターネットによって、定時、または随時に更新される広告内容を取得し、これを定時、または随時に放送する広告表示装置を提供することにある。
【課題を解決するための手段】
【０００８】
本考案は、映像と音声を放送するマスメディア放送機能を有する広告表示装置であって、少なくとも一つの無線インターネット回線との接続を行うモデムと、広告内容を記憶する少なくとも一つの記憶メディアを備え、前記モデムに接続されるとともにモデムを介した少なくとも一つの無線インターネット回線との接続およびデータの送受信を制御する制御回路と、を有している。制御回路は、管理者コンピュータから少なくとも一つの無線インターネット回線に提供された更新して放送すべき広告内容を取得するとともに、記憶メディアに記憶された更新前の広告内容を、更新して放送すべき広告内容に置き換えて放送内容を更新する。
【考案の効果】
【０００９】
本考案の広告表示装置によれば、無線インターネットによって定時、または随時に更新される広告内容を取得し、これを定時、または随時に放送することによって、広告内容の更新に要する時間と労力を削減することができる。
【考案を実施するための最良の形態】
【００１０】
以下、本考案に係る広告表示装置の詳細な特徴、長所や応用に関して、明細書に添付した図面を参照しつつ、実施形態によって説明する。
【００１１】
図１（Ａ）および（Ｂ）は、広告表示装置１０の外観図である。図２は、広告表示装置１０の内部構成を示すブロック図である。図３は、広告表示装置１０の操作状態を示すフローチャートである。
【００１２】
図１（Ａ）、図１（Ｂ）、および図２を参照して、本考案の広告表示装置（マスメディア放送機）１０は、本体部１と、可動フレーム２と、を有している。本体部１は、５インチ、７インチ、または１０．２インチのＬＣＤ表示板（液晶ディスプレイ）１０１と、その両側に一対のスピーカー１１０、１２０と、を有している。背面側には、メインフレームボックス３が設けられおり、その中には、放送映像処理モジュール７を備えている。メインフレームボックス３の上端部には、スロット４を備えている。スロット４には、ＳＤメモリカード（登録商標）、ＭＭＣカード、ＭＳカード、ＭＳ−ＰＲＯカード、ＣＦカード（ＴＹＰＥ１／１１、登録商標）、マイクロカードなどのメモリカードを挿入できるようになっている。
【００１３】
図２を参照して、本考案の広告表示装置１０が備える放送映像処理モジュール７は、音声と映像を放送することができる多機能のデコーダ（ｄｅｃｏｄｅｒ）であって、ＳＤメモリカード、ＭＭＣカード、ＭＳカード、ＭＳ−ＰＲＯカード、ＣＦカード（ＴＹＰＥ１／１１）、マイクロカードに記憶された内部データを読み取ることができる。その一端部を、無線インターネット接続用端子７１と操作用インターフェース接続用端子７２に接続している。他端部を、ビデオセレクター（ｖｉｄｅｏ  ｓｅｌｅｃｔｏｒ）７３とオーディオセレクター（ａｕｄｉｏ  ｓｅｌｅｃｔｏｒ）７４に接続している。ビデオセレクター７３は、ＡＶ端子（図中省略）から入力データを受信し、ＬＣＤ駆動機７５を駆動させて、ＬＣＤ表示板１０１に映像を表示する。オーディオセレクター７４は、増幅回路７６によって音声を増幅し、スピーカー１１０、１２０から音声を出力する。
【００１４】
図１（Ａ）、図１（Ｂ）、および図３を参照して、広告表示装置１０は、音声と映像を放送するマスメディア放送機能を有している。広告表示装置１０には、一つの無線インターネット用モデム（ｍｏｄｅｍ）１１が設けられている。広告表示装置１０は、無線インターネット用モデム１１によって無線インターネット回線に接続する。無線インターネット用モデム１１は、広告表示装置１０に設けられた制御回路に接続している。制御回路には、記憶メディア（例えば、磁気ディスク、ハードディスク、フラッシュメモリなど）を設けている。
【００１５】
広告表示装置１０の使用に際し、制御回路は、無線インターネット用モデム１１を介した無線インターネット回線との接続およびデータの送受信を制御する。管利者コンピュータ１３は、更新して放送すべき新たな広告内容（音声と映像を含む）を無線インターネット回線に提供する。制御回路は、更新して放送すべき広告内容を取得し、更新される前の広告内容に置き換えて、新たな広告内容を放送する。
【００１６】
再び図１（Ａ）、図１（Ｂ）、および図３を参照して、無線インターネット用モデム１１を、３Ｇ、または３．５Ｇ（ＩＴＵ（Ｉｎｔｅｒｎａｔｉｏｎａｌ  Ｔｅｌｅｃｏｍｍｕｎｉｃａｔｉｏｎ  Ｕｎｉｏｎ）が定める規格ＩＭＴ−２０００に準拠）に対応するＧＳＭ（グローバルモバイル通信：Ｇｌｏｂａｌ  Ｓｙｓｔｅｍ  ｆｏｒ  Ｍｏｂｉｌｅ  Ｃｏｍｍｕｎｉｃａｔｉｏｎｓ）方式のモデムとし、ＳＩＭカード（使用者識別カード：Ｓｅｃｕｒｉｔｙ  Ｉｎｆｏｒｍａｔｉｏｎ  Ｍａｎｇｅｍｅｎｔ  ｃａｒｄ）を利用して一つの無線通信会社１２の無線インターネット回線に接続する。制御回路は、ＧＳＭ方式のモデムを介した無線インターネット回線との接続およびデータの送受信の制御に際し無線通信会社１２のサーバに接続した後、そのサーバを経由して無線インターネット回線との接続を行う。
【００１７】
さらに、図１（Ａ）、図１（Ｂ）、および図３を参照して、管利者コンピュータ１３は、任意の無線インターネット回線と接続できるコンピュータである。管理者コンピュータ１３は、例えば、インターネットサーバである。更新した広告内容を一つのデータパケット（ｄａｔａ  ｐａｃｋｅｔ）に変換して無線インターネット回線に伝送する。制御回路は、データパケットに付されたコードを識別し、取得すべきデータパケットを無線インターネット回線から探し出す。対応するコードが付されたデータパケットを探し出した後、読み取って解読し、その中に含まれた新しい広告内容を取得する。
【００１８】
以上のように、実施形態によって示された本考案は、創作性があり、従来の広告表示装置に比べて、上述した複数の機能を備えている。そのため、新規性および進歩性の要件を満たしているものであると考える。
【００１９】
上述した詳細な説明は、本考案の実施形態について具体的に説明をしたものである。但し、これらの実施形態は、本考案の実用新案登録請求の範囲を制限するものではない。本考案の技術水準を逸脱することなくなされた同等の効果を有する実施、または変更は、全て本考案の実用新案登録請求の範囲に含まれるものである。
【図面の簡単な説明】
【００２０】
【図１Ａ】本考案に係る広告表示装置の外観図である。
【図１Ｂ】本考案に係る広告表示装置の外観図である。
【図２】本考案に係る広告表示装置の内部構成を示すブロック図である。
【図３】本考案に係る広告表示装置の操作状態を示すフローチャートである。
【符号の説明】
【００２１】
１  本体部、
２  可動フレーム、
３  メインフレームボックス、
４  スロット、
７  放送映像処理モジュール、
１０  広告表示装置、マスメディア放送機、
１１  無線インターネット用モデム（モデム）、
１２  無線通信会社、
１３  管利者コンピュータ、
７１  無線インターネット接続用端子、
７２  操作用インターフェース接続用端子、
７３  ビデオセレクター、
７４  オーディオセレクター、
７５  ＬＣＤ駆動機、
７６  増幅回路、
１０１  ＬＣＤ表示板、
１１０、１２０  スピーカー。
【図１Ａ】
0003146920.tif 000003
【図１Ｂ】
0003146920.tif 000004
【図２】
0003146920.tif 000005
【図３】
0003146920.tif 000006